(57)【要約】
【課題】手を雨水で濡らすことなく濡れた傘の布地を軸棒に固定させると共にその作業時間の短縮化と濡れ傘に付着した雨水が使用者や他人に接触するのを防止する。
【解決手段】吸水性若しくは吸水性及び伸縮性を有する材質よりなり、リング状に形成されたホルダ１の外周面に、別に設けた雨水受け袋２を着脱自在に取付けるための留め具３を設ける。
【選択図】図１
0003101413.tif 000002
【実用新案登録請求の範囲】
【請求項１】
吸水性若しくは吸水性及び伸縮性を有する材質よりなり、リング状に形成されたホルダの外周面に、別に設けた雨水受け袋を着脱自在に取付けるための留め具を設けたことを特徴とする傘用ホルダ。
【請求項２】
ホルダ外周面に、該ホルダの直径を調整するための調整具を設けたことを特徴とする請求項１記載の傘用ホルダ。
【考案の詳細な説明】
【技術分野】
【０００１】  本考案は、雨で濡れた濡れ傘用のホルダに関するものである。
【背景技術】
【０００２】  雨天時、入店する場合は、出店するときに傘を傘立てより容易に取出すことができるように雨水で濡れた濡れ傘を閉じ、傘の布地を一方向に向かって巻付け、更に布地に取付けている帯状留め具を巻付けて傘の軸棒に布地を固定させた後、店頭に設置の傘立てに挿入するか、店側が提供している雨水受け袋内に各自が閉じた濡れ傘を入れ持ち歩いていた。このように傘立てに濡れ傘を挿入すると、濡れ傘に付着した雨水が傘の使用者や他人に接触する被害は回避できるが、鍵を設けていない傘立であると、傘が盗難にあったりするという問題点があった。
又、混み合ったバスや電車等に乗車する場合は、たとえ濡れ傘の布地を傘の軸棒に固定させたとしても布地に付着している雨水が使用者や周囲の人に触れ不快感を与えていた。
このような傘に付着した雨水による被害を防止するため、ビニール性の傘袋も市販されているが、バックに入れて持ち歩くにはバック内の収納部を不当に占有するという問題点があった。
何れの場合も、濡れ傘を閉じ傘の軸棒に布地を固定させる作業は、手間と時間を要し雨水により手が濡れるという問題点があった。【０００３】  これらの問題点を解決するために、筒状の両側端部を袋状にして、その一方の袋状にした穴に少し長めの伸縮ゴムを挿通してビーズ等で緊縮自在に調整すると共に、他方の端の袋状の穴に伸縮ゴムを挿通して、収縮させた傘カバーが提案されている。この傘カバーであると、雨で濡れた傘を傘カバーによりカバーするので、満員バス等で雨水に触れること、予め、傘カバーが軸に取付けられているので傘カバーがバック内の収納部を占有することは解決されたが、濡れた傘の柄側から石突部分方向に向かって傘カバーを延ばしながらカバーするには、閉じた濡れ傘の布地を巻付けて軸棒に固定する作業をしなければならず、この手間を要する作業と作業中に雨水により手が濡れるという問題点は解決されていない。
【特許文献１】特開２００１−３３３８１１号公報
【考案の開示】
【考案が解決しようとする課題】
【０００４】  本考案は、手を雨水で濡らすことなく濡れた傘の布地を軸棒に固定させると共にその作業時間の短縮化と濡れ傘に付着した雨水が使用者や他人に接触するのを防止することを目的としたものである。
【課題を解決するための手段】
【０００５】  上記目的を達成するために、本考案のうち請求項１記載の考案は、吸水性若しくは吸水性及び伸縮性を有する材質よりなり、リング状に形成されたホルダの外周面に、別に設けた雨水受け袋を着脱自在に取付けるための留め具を設けたことを特徴とする。
本考案のうち請求項２記載の考案は、ホルダ外周面に、ホルダの直径を調整するための調整具を設けたことを特徴とする。
【考案の効果】
【０００６】  本考案の傘用ホルダは、吸水性若しくは吸水性及び伸縮性を有する材質をリング状に形成しているため、雨により濡れた濡れ傘をホルダ内に挿入し、ホルダを摺接動するのみで布地表面に付着している雨水を吸水しながら拭き取るので、濡れ傘に付着した雨水が使用者や他人に触れるのを防止するという効果がある。
布地表面に付着した雨水を吸水しながら拭き取ったホルダを傘の適当位置でとめ、濡れ傘の布地を軸棒に固定することができるので、老若男女問わず短時間で簡単に傘の布地を軸棒に固定することができるという効果がある。
ホルダ外周面に雨水受け袋を取付けるための留め具を設けているため、必要に応じて薄手のナイロン袋を取付けることにより、傘の石突部分からの雨滴を受けとめることができるという効果がある。
ホルダ外周面に調整具を設けているため、傘の径の大小に対応することができるという効果がある。
ホルダは吸水性を有する材質よりなるので、傘の布地を軸棒に固定する作業中、手が雨水で濡れるのを防止するという効果がある。
ホルダは小さく軽量でありコンパクト化が可能であるので、バック内の収納部を不当に占有することがなく軽便である。
更に、ホルダは織物製品であるため、多色、多柄を提供することができるので、ファッション性に富み、雨の日を楽しむことができるという多大な効果がある。
【考案を実施するための最良の形態】
【実施例１】
【０００７】  図１はホルダの雌スナップを取外した状態を示す斜視図、図２は図１の使用状態を示す図、図３は図１のホルダに雨水受け袋の取付け状態を示す斜視図、図４は図３の使用状態を示す図、図５はホルダ外周面に調整具の取付け状態を示す斜視図、図６は調整具によりホルダの径を小にした状態を示す斜視図である。
図１から図４のホルダ１は、吸水性若しくは吸水性及び伸縮性を有する材質、例えばタオル織物、繊維集合体（フェルト、不織布等）等の繊維製品、スポンジ等をリング状に形成し、ホルダ１の外周面上端に、周縁に沿って適当間隔に雨水受け袋２を取付けるための留め具３を複数個設けている。留め具３は、雨水受け袋２を挟持可能であれば特に限定するものではないが、スナップが好ましい。
図５及び図６のホルダ１は、幅方向の略中央に調整具４例えばスナップを設けている。傘５の径が小の場合、雌スナップと雄スナップを止める。【０００８】  作用について説明する。先ず図２及び図４を参照して説明する。雨で濡れた濡れ傘５をホルダ１内に上方より挿入する。濡れ傘５の石突部分６から柄７に向かってホルダ１の外周面を持って摺接動させると、ホルダ１は吸水性を有する材質よりなるので濡れ傘５の布地８表面に付着している雨水を吸水すると共に拭き取りながら移動する。雨水が布地８表面から拭き取られと傘５の任意位置でホルダ１をとめる。ホルダ１は布地８を軸棒９に固定させる。雨水受け袋２を使用する場合は、留め具３の雄スナップ１０より雌スナップ１１を取外し、雨水受け袋２内にホルダ１を入れ、雨水受け袋２を雄スナップ１０と雌スナップ１１により挟持する。濡れ傘５の布地８表面に付着する雨水は、ホルダ１により吸水されると共に拭き取られ、その後、雨滴は雨水受け袋２内に溜まる。
次に図５及び図６を参照して説明する。傘５の径が小さい場合は、ホルダ１の調整具４の雌雄スナップを止める。作用は前述の図２及び図４の説明と同様である。【０００９】  本考案は、ホルダは１種類の材質を用いて形成されていることを説明したが、本考案のホルダはこれに限定するものではなく、ホルダの内周面は吸水性部材、外周面は非吸収性部材例えばナイロンとの組合わせ、或いはホルダはスポンジをリング状に形成し、このスポンジの下端縁若しくは上端縁は布等の繊維織物の組合わせ、或いはスポンジを繊維織物で包被しリング状に形成することも考えられる。
【産業上の利用可能性】
【００１０】  本考案傘用ホルダは、吸水性を有する材質よりなるので、手や汗等を拭くハンカチとしての用途にも適用できる。
【図面の簡単な説明】
【００１１】
【図１】ホルダの雌スナップを取外した状態を示す斜視図である。
【図２】図１の使用状態を示す図である。
【図３】図１の傘用ホルダに雨水受け袋の取付け状態を示す斜視図である。
【図４】図３の使用状態を示す図である。
【図５】ホルダ外周面に調整具の取付け状態を示す斜視図である。
【図６】調整具によりホルダの径を小にした状態を示す斜視図である。
【符号の説明】
【００１２】１  ホルダ
２  雨水受け袋
３  留め具
４  調整具
【図１】
0003101413.tif 000003
【図２】
0003101413.tif 000004
【図３】
0003101413.tif 000005
【図４】
0003101413.tif 000006
【図５】
0003101413.tif 000007
【図６】
0003101413.tif 000008